【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
撮像される像の振れを低減させるために移動可能な振れ補正部と、
前記振れ補正部を駆動する駆動部と、
前記像のブレを検出し前記ブレに対応するブレ信号を出力する検出部と、
レリーズ釦の半押しが解除された状態に対応する第１信号、及び、装置のメインスイッチのオフ状態に対応する第２信号を受信可能な受信部と、
前記ブレ信号を用いて前記振れ補正部を駆動させることにより前記ブレを補正する第１制御が可能な制御部とを含み、
前記制御部は、前記受信部が前記第１信号を受信した後の所定期間は、前記第１制御を行うことを特徴とする交換レンズ。
【請求項２】
請求項１に記載された交換レンズであって、
前記制御部は、前記所定期間内に前記受信部が前記第２信号を受信しなかった場合には、時間の経過とともに前記ブレの補正量が低減するように前記ブレ信号を用いて前記ブレを補正しながら前記振れ補正部を所定位置に移動させる第２制御を行い、
前記所定期間内に前記受信部が前記第２信号を受信した場合には、前記ブレを補正せずに前記振れ補正部を前記所定位置に移動させる第３制御を行うことを特徴とする交換レンズ。
【請求項３】
像振れを補正可能な振れ補正光学系と、
前記振れ補正光学系を駆動し像振れ補正を行う駆動部と、
前記振れ補正光学系の位置を検出する位置検出部と、
半押しスイッチ及び全押しスイッチがオフ状態であってメインスイッチがＯＮ状態にされたとき、又は、前記駆動部による前記振れ補正光学系の駆動中にメインスイッチがＯＦＦ状態にされたときにカメラボディから第１指示を受信する通信部と、
前記通信部が前記駆動部による前記振れ補正光学系の駆動中に前記第１指示を受信したとき、前記駆動部を制御することにより前記振れ補正光学系を所定位置に保持するように制御する制御部とを含むことを特徴とする交換レンズ。
【請求項４】
請求項３に記載された交換レンズであって、
前記位置検出部の出力に基づいて前記振れ補正光学系がガタ範囲よりも広い所定範囲内にあるか否かを判断する判断部と、
前記振れ補正光学系を前記ガタ範囲内にロックするためのロック駆動をするロック部とを含み、
前記制御部は、前記通信部が前記駆動部による前記振れ補正光学系の駆動中に前記第１指示を受信したとき、前記駆動部を制御することにより前記振れ補正光学系を前記ガタ範囲の略中央位置に保持した後、前記ロック部がロック駆動するように制御し、
半押しスイッチ及び全押しスイッチがオフ状態であってメインスイッチがＯＮ状態にされたときに前記通信部が前記第１指示を受信した場合において、前記振れ補正光学系が前記所定範囲内にないと判断されたとき、前記駆動部を制御することにより前記振れ補正光学系を前記ガタ範囲の略中央位置に保持した後で前記ロック部にロック駆動をさせ、
半押しスイッチ及び全押しスイッチがオフ状態であってメインスイッチがＯＮ状態にされたときに前記通信部が前記第１指示を受信した場合であっても、前記振れ補正光学系が前記所定範囲内にあると判断されたとき、前記振れ補正光学系を前記ガタ範囲の略中央位置に保持するように前記駆動部を制御せず、かつ、前記ロック部にロック駆動をさせないことを特徴とする交換レンズ。
【請求項５】
移動可能な振れ補正部と、
前記振れ補正部を駆動する駆動部と、
前記像のブレを検出する検出部と、
レリーズ釦の半押しが解除された状態に対応する第１信号、及び、装置のメインスイッチのオフ状態に対応する第２信号を受信可能な受信部と、
前記ブレ信号を用いて前記振れ補正部を駆動させることにより前記ブレを補正する第１制御が可能な制御部とを含み、
前記制御部は、前記受信部が前記第１信号を受信した後の所定期間は、前記第１制御を行うことを特徴とする交換レンズ。
【請求項６】
請求項１乃至請求項６の何れか１項に記載された交換レンズを含むカメラシステム。
【手続補正２】
【補正対象書類名】明細書
【補正対象項目名】００１６
【補正方法】変更
【補正の内容】
【００１６】
請求項１の発明は、撮像される像の振れを低減させるために移動可能な振れ補正部と、前記振れ補正部を駆動する駆動部と、前記像のブレを検出し前記ブレに対応するブレ信号を出力する検出部と、レリーズ釦の半押しが解除された状態に対応する第１信号、及び、装置のメインスイッチのオフ状態に対応する第２信号を受信可能な受信部と、前記ブレ信号を用いて前記振れ補正部を駆動させることにより前記ブレを補正する第１制御が可能な制御部とを含み、前記制御部は、前記受信部が前記第１信号を受信した後の所定期間は、前記第１制御を行うことを特徴とする交換レンズである。
請求項２の発明は、請求項１に記載された交換レンズであって、前記制御部は、前記所定期間内に前記受信部が前記第２信号を受信しなかった場合には、時間の経過とともに前記ブレの補正量が低減するように前記ブレ信号を用いて前記ブレを補正しながら前記振れ補正部を所定位置に移動させる第２制御を行い、前記所定期間内に前記受信部が前記第２信号を受信した場合には、前記ブレを補正せずに前記振れ補正部を前記所定位置に移動させる第３制御を行うことを特徴とする交換レンズである。
請求項３の発明は、像振れを補正可能な振れ補正光学系と、前記振れ補正光学系を駆動し像振れ補正を行う駆動部と、前記振れ補正光学系の位置を検出する位置検出部と、半押しスイッチ及び全押しスイッチがオフ状態であってメインスイッチがＯＮ状態にされたとき、又は、前記駆動部による前記振れ補正光学系の駆動中にメインスイッチがＯＦＦ状態にされたときにカメラボディから第１指示を受信する通信部と、前記通信部が前記駆動部による前記振れ補正光学系の駆動中に前記第１指示を受信したとき、前記駆動部を制御することにより前記振れ補正光学系を所定位置に保持するように制御する制御部とを含むことを特徴とする交換レンズである。
請求項４の発明は、請求項３に記載された交換レンズであって、前記位置検出部の出力に基づいて前記振れ補正光学系がガタ範囲よりも広い所定範囲内にあるか否かを判断する判断部と、前記振れ補正光学系を前記ガタ範囲内にロックするためのロック駆動をするロック部とを含み、前記制御部は、前記通信部が前記駆動部による前記振れ補正光学系の駆動中に前記第１指示を受信したとき、前記駆動部を制御することにより前記振れ補正光学系を前記ガタ範囲の略中央位置に保持した後、前記ロック部がロック駆動するように制御し、半押しスイッチ及び全押しスイッチがオフ状態であってメインスイッチがＯＮ状態にされたときに前記通信部が前記第１指示を受信した場合において、前記振れ補正光学系が前記所定範囲内にないと判断されたとき、前記駆動部を制御することにより前記振れ補正光学系を前記ガタ範囲の略中央位置に保持した後で前記ロック部にロック駆動をさせ、
半押しスイッチ及び全押しスイッチがオフ状態であってメインスイッチがＯＮ状態にされたときに前記通信部が前記第１指示を受信した場合であっても、前記振れ補正光学系が前記所定範囲内にあると判断されたとき、前記振れ補正光学系を前記ガタ範囲の略中央位置に保持するように前記駆動部を制御せず、かつ、前記ロック部にロック駆動をさせないことを特徴とする交換レンズである。
請求項５の発明は、移動可能な振れ補正部と、前記振れ補正部を駆動する駆動部と、前記像のブレを検出する検出部と、レリーズ釦の半押しが解除された状態に対応する第１信号、及び、装置のメインスイッチのオフ状態に対応する第２信号を受信可能な受信部と、前記ブレ信号を用いて前記振れ補正部を駆動させることにより前記ブレを補正する第１制御が可能な制御部とを含み、前記制御部は、前記受信部が前記第１信号を受信した後の所定期間は、前記第１制御を行うことを特徴とする交換レンズである。
請求項６の発明は、請求項１乃至請求項６の何れか１項に記載された交換レンズを含むカメラシステムである。